(57)【要約】      （修正有）【課題】コンクリートブロック製のポールスタンドでありながら、容易に移動可能なポールスタンドを提供する。【解決手段】コンクリート製の所定厚の板状体２のブロックにより構成され、板状体の板面の中央部に上下方向に貫通孔４が形成され、板状体の一辺の側面２ｃに一対の溝部５ａ，５ｂが設けられ、両溝部に各々キャスター６が回転自在に軸支され、両キャスターは、両キャスターの各一部６’が板状体の一辺の側面２ｃから外方に突出する位置となるように軸支されており、かつ両キャスターの下面位置は、板状体２の裏面の四隅部と同一位置又は裏面の四隅部より上方に位置するように構成し、ポールＰをＸ方向に倒すことにより両キャスターでポールスタンドを移動可能とした。【選択図】図１
0003202001.tif 000002
【実用新案登録請求の範囲】
【請求項１】
コンクリート製の所定厚の板状体のブロックにより構成され、
上記板状体の裏面の四隅部が地面に接地することで地面に水平に載置可能とし、
上記板状体の板面の中央部に上下方向に貫通孔が形成されており、
かつ、上記板状体の一辺の側面に一対の溝部が設けられ、上記両溝部に各々キャスターが回転自在に軸支され、
上記両キャスターは、上記両キャスターの各一部が上記板状体の上記一辺の側面から外方に突出する位置となるように上記両溝部に軸支されており、
かつ上記両キャスターの下面位置は、上記板状体の上記裏面の四隅部と同一位置又は上記裏面の四隅部より上方に位置しているものであるポールスタンド。
【請求項２】
上記板状体の上面の中央部は、上記上面の四隅部の位置よりも高い位置となる凸状部が形成されており、
上記板状体の裏面の中央部は、上記裏面の上記四隅部の位置よりも高い位置となる凹状部が形成されており、
上記貫通孔は上記凸状部と上記凹状部を上下方向に垂直に貫通するように設けられているものである請求項１記載のポールスタンド。
【請求項３】
上記貫通孔にポールを挿入し該ポールの下端を地面に接した状態において、
上記ポールを上記両キャスターが設けられた側に傾斜させると、上記ポールの傾斜に伴って、上記板状体が上記一辺の側面から突出している上記両キャスターを支点として上方に傾斜し得るように構成したものである請求項１又は２記載のポールスタンド。
【考案の詳細な説明】
【技術分野】
【０００１】
本考案は、広告用の旗等を取り付けたポールを立てるためのポールスタンドに関し、容易に移動可能なポールスタンドに関するものである。
【背景技術】
【０００２】
従来、この種のポールスタンドは、コンクリート製の中実四角錐状のブロックの中央部に上下方向に貫通孔を設け、当該ブロックを地面上に設置した状態で、上記貫通孔に広告用の旗等のポールを挿入してポールスタンドとするもの、或いは、樹脂製の中空の本体からなり、本体中央部にポール挿入孔が形成されており、中空の本体内を水で満たして重さを確保するもの等が提案されている（特許文献１，２）。
【先行技術文献】
【特許文献】
【０００３】
【特許文献１】特開２００２−２１２９１０号公報
【特許文献２】特開２００２−２６８５９４号公報
【考案の概要】
【考案が解決しようとする課題】
【０００４】
ところで、上記従来のポールスタンドは、コンクリートブロック製のものは重量が大きいため、一度設置すると移動が大変であるという課題があった。
【０００５】
また、水を入れて重量を確保する樹脂製のポールスタンドも、水を入れた状態では重量が大きく、移動が大変であるとの同様の課題を有していた。また、本体が樹脂製であるので、経年変化により亀裂が入って水が漏れること、或いは、自転車、自動車等の接触により本体の角部等が割れ易いという課題もあった。
【０００６】
本考案は、上記従来の課題に鑑みてなされたものであり、コンクリートブロック製のポールスタンドでありながら、本体にキャスターを設け、容易に移動可能なポールスタンドを提供することを目的とする。
【０００７】
また、本考案は、比較的軽量でありながら、ポールを確実に立設支持し得るポールスタンドを提供することを目的とする。
【課題を解決するための手段】
【０００８】
上記の目的を達成するため本考案は、
第１に、コンクリート製の所定厚の板状体のブロックにより構成され、上記板状体の裏面の四隅部が地面に接地することで地面に水平に載置可能とし、上記板状体の板面の中央部に上下方向に貫通孔が形成されており、かつ、上記板状体の一辺の側面に一対の溝部が設けられ、上記両溝部に各々キャスターが回転自在に軸支され、上記両キャスターは、上記両キャスターの各一部が上記板状体の上記一辺の側面から外方に突出する位置となるように上記両溝部に軸支されており、かつ上記両キャスターの下面位置は、上記板状体の上記裏面の四隅部と同一位置又は上記裏面の四隅部より上方に位置しているものであるポールスタンドにより構成される。
【０００９】
このように構成すると、板状体を水平に設置した状態ではキャスターは機能することはないので、上記貫通孔に広告用の旗のポールを挿通して該ポールを安定して支持することができる。また、操作者が当該ポールの例えば中間位置を把持してキャスターが設けられた側に倒すことにより、板状体のキャスターの突出した一部を地面に接地し得ると共に、上記キャスターが設けられた一側面とは反対側の板状体の側面を容易に持ち上げて、当該板状体を傾斜させることができ、かかる傾斜状態で、接地状態のキャスターの回転により、当該ポールスタンドを容易に移動することが可能となる。
【００１０】
第２に、上記板状体の上面の中央部は、上記上面の四隅部の位置よりも高い位置となる凸状部が形成されており、上記板状体の裏面の中央部は、上記裏面の上記四隅部の位置よりも高い位置となる凹状部が形成されており、上記貫通孔は上記凸状部と上記凹状部を上下方向に垂直に貫通するように設けられているものである上記第１記載のポールスタンドにより構成される。
【００１１】
このように構成すると、凸状部と凹状部によって、ポールにおける地面から比較的高い位置を支持することができるので、板状体自体を比較的薄く形成しても、安定してポールを支持することができる。
【００１２】
第３に、上記貫通孔にポールを挿入し該ポールの下端を地面に接した状態において、上記ポールを上記両キャスターが設けられた側に傾斜させると、上記ポールの傾斜に伴って、上記板状体が上記一辺の側面から突出している上記両キャスターを支点として上方に傾斜し得るように構成したものである上記第１又は２記載のポールスタンドにより構成される。
【００１３】
このように構成すると、ポールを傾斜させて引くだけで、キャスターにより板状体を容易に移動することができる。
【考案の効果】
【００１４】
本考案によれば、板状体の貫通孔に例えば広告用の旗のポールを挿通して安定して支持することができる。
【００１５】
また、操作者が当該ポールの例えば中間位置を把持してキャスターが設けられた側に倒すことにより、板状体のキャスターの突出した一部を地面に接地し得ると共に、上記キャスターが設けられた一側面とは反対側の板状体の側面を容易に持ち上げて、当該板状体を傾斜させることができ、かかる傾斜状態で、接地状態のキャスターの回転により、当該ポールスタンドを容易に移動することが可能となる。
【００１６】
また、板状体の凸状部と凹状部によって、ポールにおける地面から比較的高い位置を支持することができるので、板状体自体を比較的薄く形成しても、安定してポールを支持することができる。
【図面の簡単な説明】
【００１７】
【図１】本考案に係るポールスタンドの斜視図である。
【図２】同上ポールスタンドの平面図である。
【図３】同上ポールスタンドの正面図である。
【図４】同上ポールスタンドの背面図である。
【図５】同上ポールスタンドの右側面図である。
【図６】同上ポールスタンドの左側面図である。
【図７】同上ポールスタンドの底面図である。
【図８】図２のＡ−Ａ線断面図である。
【図９】図２のＢ−Ｂ線断面図である。
【図１０】図２のＣ−Ｃ線断面図である。
【図１１】図３のＤ−Ｄ線断面図である。
【図１２】図３のＥ−Ｅ線断面図である。
【図１３】図３のＦ−Ｆ線断面図である。
【図１４】図３のＧ−Ｇ線断面図である。
【図１５】図３のＨ−Ｈ線断面図である。
【図１６】傾斜状態の同上ポールスタンドを示す側面図である。
【図１７】同上ポールスタンドにポールを支持した状態の側面図である。
【考案を実施するための形態】
【００１８】
以下、添付図面に基づいて本考案に係るポールスタンドについて詳細に説明する。
【００１９】
本考案に係るポールスタンド１は、コンクリート製の比較的薄い所定厚の板状体２のブロックにより構成され（図１参照）、上記板状体２の裏面２ｂの四隅部３ａ，３ｂ，３ｄ，３ｃ（図７参照）が地面Ｇに接地することで、地面Ｇに水平に載置可能に形成されている。尚、この板状体２は平面視において正方形であるが（図２参照）、正方形に限らず、平面視において長方形、円形等であっても良い。
【００２０】
上記板状体２の板面の中央部に上下方向に貫通孔４が形成されており、かつ、上記板状体２の一辺の側面２ｃに一対の溝部５ａ，５ｂが設けられ、上記両溝部５ａ，５ｂに各々キャスター（車輪）６，６が、水平の支持軸７，７により回転自在に軸支されている。上記貫通孔４は板状体２が平面視で正方形又は長方形の場合は、２つの対角線の交点、円形の場合は中心に設ける。
【００２１】
より具体的には、上記裏面２ｂ側に、上記溝部５ａ，５ｂに各々隣接して小溝部５ａ’，５ｂ’が形成されており（図７参照）、上記両キャスター６，６は上記溝部５ａ，５ｂに各々縦に挿入され、上記板状体２の左右側面２ｄ，２ｅから上記溝部５ａ，５ｂ及び小溝部５ａ’，５ｂ’に各々挿通された水平の支持軸７，７により各中心を以って回転自在に軸支されている。尚、図７における上記小溝部５ａ’，５ｂ’における符号７ａ，７ａは支持軸７，７の抜止部材である。
【００２２】
また、これらのキャスター６，６は、盤面６ａを板状体２の側面２ｄ，２ｅに平行となるように軸支されており、従って、板状体１を図１のＸ方向に走行可能とする位置に軸支されている。
【００２３】
上記両キャスター６，６は、上記支持軸７，７による軸支された状態において、上記溝部５ａ，５ｂ内において、図５、図６に示すように、上記両キャスター６，６の各一部（側面側の一部）６’，６’が上記板状体２の上記一辺の側面２ｃから外方（前方）に突出する位置となるように構成されている。
【００２４】
さらに、図３、図１４に示すように、上記両キャスター６，６の下面位置６”、６”は、上記板状体２の上記裏面２ｂの四隅部３ａ，３ｂ，３ｃ，３ｄと同一位置（同一水準位置）又は上記裏面２ｂの四隅部３ａ，３ｂ，３ｃ，３ｄより上方（若干上方）に位置するように構成されている。尚、添付図面では、両キャスター６，６の下面位置６”，６”は、上記四隅部３ａ，３ｂ，３ｃ，３ｄと同一位置となっている。
【００２５】
これは、当該ポールスタンド１を地面Ｇに設置したときは、上記両キャスター６，６の下面位置６”，６”は、他の四隅部３ａ，３ｂ，３ｃ，３ｄと共に地面に接地（接触）するため、或いは接地していないため、両キャスター６，６は回転することなく、これにより、安定してポールスタンド１を地面Ｇに設置するためである。
【００２６】
尚、後述するが、図１６に示すように板状体を両キャスター６，６の方向に傾斜させた場合は、上記両キャスター６，６の上記両一部（両側面側の一部）６’，６’が地面Ｇに接地することになるため、その傾斜状態でポールスタンド１を容易に移動することを可能としている。
【００２７】
次に、図１、図８、図１１に示すように、上記板状体２の上面２ａの中央部は、上記上面２ａの上記四隅部３ａ’，３ｂ’，３ｃ’，３ｄ’の位置よりも高い位置となる凸状部８が形成されており、図７、図８、図１１に示すように、上記板状体２の裏面２ｂの中央部は、上記裏面２ｂの上記四隅部３ａ，３ｂ，３ｃ，３ｄの位置よりも高い位置となる凹状部９が形成されており、上記貫通孔４は上記凸状部８と上記凹状部９を上下方向に垂直に貫通するように設けられている。
【００２８】
尚、上記上面２ａの隅部３ａ’と隅部３ｃ’、隅部３ｂ’と隅部３ｄ’は各々同一高さである。
【００２９】
このように貫通孔４は、凸状部８と凹状部９を形成することにより、板状体２を地面Ｇに設置したとき、図８に示すように、ポールＰの地面Ｇからより高い位置である高さＴ１から高さＴ２を支持し得るようになるため、より安定してポールＰを支持することができる。
【００３０】
より具体的には、上記凸状部８の長手方向の両側面には上り坂のテーパ面８ａ，８ａ’が形成されており、上記凸状部８の短手方向の両側面には短い上り坂のテーパ面８ｂ，８ｂ’が形成されている（図１参照）。また、裏面２ｂ側においても、図７に示すように、凹状部９の長手方向の両側面には上向きのテーパ面９ａ，９ａ’が形成されており、上記凹状部９の短点方向の両側面には短い上向きのテーパ面９ｂ，９ｂ’が形成されている。そして、図８に示すように、上記上面２ａ側の上向のテーパ面８ａ，８ａ’と、裏面側２ｂの上向きのテーパ面９ａ，９ａ’とは、各々平行となるように形成されている。
【００３１】
尚、上記裏面２ｂ側の上記テーパ面９ａ，９ａ’によって、板状体２の裏面２ｂ側にはポールＰの支持空間Ｓが形成されている。
【００３２】
そして、上記貫通孔４にポールＰを挿入した状態において、上記ポールＰに対して上記キャスター６，６が設けられた側（図１における矢印Ｘ方向）に上記ポールＰを傾斜させると、図１６に示すように、上記ポールＰの傾斜に伴って、上記板状体２が上記一辺の側面２ｃから突出している上記両キャスター６，６の側面側の一部６’，６’を支点として、反対側の側面２ｆを上方に持ち上げるように傾斜し得るように構成されている。
【００３３】
図１６に示す傾斜状態においては、当該ポールスタンド１（板状体２）は、上記両キャスター６，６でのみ地面Ｇ上に支持されている状態、即ち、回転自在の上記両キャスター６，６以外は、板状体２のどの位置も地面Ｇに接していない状態となるので、操作者が上記ポールＰを矢印Ｘ方向に引くことで、上記両キャスター６，６が矢印Ｙ方向に回転し、これにより当該ポールスタンド１（板状体２）を地面Ｇ上において矢印Ｘ方向に容易に移動させることが可能となる。
【００３４】
本考案は上述のように構成されているので、本考案に係るポールスタンド１を使用するには、当該ポールスタンド１を地面Ｇの所定場所に設置し、例えば広告用の旗のポールＰを貫通孔４に、その下端が地面Ｇに接するまで挿入し、当該ポールＰを垂直に支持する（図１７参照）。
【００３５】
このとき、上記ポールＰは、板状体２によって、地面Ｇからより高い位置である高さＴ１から高さＴ２の範囲を支持されるので、安定してポールＰを支持することができる。
【００３６】
また、この設置状態においては、両キャスター６，６の下面位置６”，６”は地面Ｇに接地しているが、同時に裏面２ｂの四隅部３ａ，３ｂ，３ｃ，３ｄも地面Ｇに接地しているので、当該板状体２は動くことは無く、安定して設置状態を維持し得る。尚、上記両キャスター６，６の下面位置６”，６”が各裏面２ｂの四隅部３ａ，３ｂ，３ｃ，３ｄの位置より若干上方に位置している場合においても、同様であり、板状体２は安定して設置状態を維持する。
【００３７】
次に、ポールＰの位置を移動したい場合は、当該ポールＰの所定位置（人が立ったまま手を伸ばして楽にポールを持てる位置、例えば図１７の点Ｐ’）を把持し、当該ポールＰをキャスター６，６が設けられた一辺の側面２ｃの方向（矢印Ｘ方向）に倒せば良い。
【００３８】
そうすると、梃の原理によって、操作者が把持したポールＰの位置Ｐ’が力点となり、上記両キャスター６，６の側面側の一部６’，６’が支点となり、上記板状体１の反対側の側面２ｆが作用点となるため、上記ポールＰを矢印Ｘ方向に倒すことにより、上記キャスター６，６を支点として、上記板状体１のキャスター６，６の取付位置とは反対側の側面２ｆを容易に上方に持ち上げることができる（図１６、矢印Ｚ参照）。
【００３９】
図１６に示す板状体２の傾斜状態においては、当該ポールスタンド１（板状体２）は、上記両キャスター６，６でのみ地面Ｇ上に支持されている状態、即ち、回転自在の上記両キャスター６，６以外は、板状体２のどの位置も地面Ｇに接していない状態となるので、操作者が上記ポールＰを矢印Ｘ方向に引くことで、上記両キャスター６，６が矢印Ｙ方向に回転し、これにより当該ポールスタンド１（板状体２）を地面Ｇ上を矢印Ｘ方向に容易に移動させることが可能となる。
【００４０】
以上のように、本考案によれば、上記貫通孔４に例えば広告用の旗のポールＰを挿通して安定して支持することができる。また、操作者が当該ポールＰの例えば中間位置を把持してキャスター６，６が設けられた側（一辺の側面）２ｃ側に倒すことにより、板状体２のキャスター６，６の突出した一部６’，６’を地面Ｇに接地し得ると共に、上記キャスター６，６が設けられた一側面２ｃとは反対側の板状体２の側面２ｆを容易に持ち上げて、当該板状体２を傾斜させることができ、かかる傾斜状態で、接地状態のキャスター６，６の回転により、当該ポールスタンド１を容易に移動することが可能となる。
【００４１】
また、凸状部８と凹状部９によって、ポールＰの地面Ｇから比較的高い位置を支持することができるので、板状体２自体を比較的薄く形成しても、安定してポールＰを支持することができる。
【産業上の利用可能性】
【００４２】
本考案に係るポールスタンドは、ポールを安定して支持し得ると共に、コンクリート製であるにも拘わらず、容易に設置場所を移動することができるので、広告用の旗等のポールスタンドとして広く利用することが可能である。
【符号の説明】
【００４３】
１                ポールスタンド
２                板状体
２ｂ              裏面
２ｃ              一辺の側面
３ａ〜３ｄ        四隅部
４                貫通孔
５ａ，５ｂ        溝部
６                キャスター
６’              一部
６”              下面位置
８                凸状部
９                凹状部
Ｐ                ポール
【図１】
0003202001.tif 000003
【図２】
0003202001.tif 000004
【図３】
0003202001.tif 000005
【図４】
0003202001.tif 000006
【図５】
0003202001.tif 000007
【図６】
0003202001.tif 000008
【図７】
0003202001.tif 000009
【図８】
0003202001.tif 000010
【図９】
0003202001.tif 000011
【図１０】
0003202001.tif 000012
【図１１】
0003202001.tif 000013
【図１２】
0003202001.tif 000014
【図１３】
0003202001.tif 000015
【図１４】
0003202001.tif 000016
【図１５】
0003202001.tif 000017
【図１６】
0003202001.tif 000018
【図１７】
0003202001.tif 000019